(57)【特許請求の範囲】
【請求項１】
内部に暖房器具が設置された建屋内に据付されたエレベータに設けられるエレベータ床暖房装置であって、
前記エレベータの昇降路内に昇降自在に配置された乗りかごと、
前記暖房器具の排熱を前記昇降路内に供給する放熱手段と、
前記放熱手段が供給する前記昇降路内の熱を回収してその熱を前記乗りかご内へと供給する熱供給手段と、を備え、
前記熱供給手段は、
前記昇降路内に設けられ、前記放熱手段が供給する前記昇降路内の熱を回収して暖気を生成する直接熱回収用熱交換器と、
前記直接熱回収用熱交換器が生成した暖気を、前記乗りかご内へと供給する暖気供給手段と、を備えたことを特徴とするエレベータ床暖房装置。
【請求項２】
前記暖気供給手段は、伸縮自在に設けられ、前記直接熱回収用熱交換器と前記乗りかごとを連通するダクトであることを特徴とする請求項１に記載のエレベータ床暖房装置。
【請求項３】
内部に暖房器具が設置された建屋内に据付されたエレベータに設けられるエレベータ床暖房装置であって、
前記エレベータの昇降路内に昇降自在に配置された乗りかごと、
前記暖房器具の排熱を前記昇降路内に供給する放熱手段と、
前記放熱手段が供給する前記昇降路内の熱を回収してその熱を前記乗りかご内へと供給する熱供給手段と、を備え、
前記熱供給手段は、
前記乗りかごに設けられ、前記放熱手段が供給する前記昇降路内の熱を回収してその熱を熱媒体へと蓄熱する間接熱回収用熱交換器と、
前記乗りかごの床部に設けられ、蓄熱した前記熱媒体がその内部を循環する床暖房パネルと、
前記乗りかごに設けられ、前記熱媒体を前記床暖房パネルの内部に循環させる循環ポンプと、を備えたことを特徴とするエレベータ床暖房装置。
【請求項４】
前記床暖房パネルは、内部に前記熱媒体の循環を整流するフィンを備えたことを特徴とする請求項３に記載のエレベータ床暖房装置。
【請求項５】
前記フィンは、前記床暖房パネル内部を略中央で前記熱媒体が通過する空隙を残しつつ二分するように設けられていることを特徴とする請求項３又は請求項４のいずれかに記載のエレベータ床暖房装置。
【請求項６】
前記循環ポンプは、前記床暖房パネル内を循環して戻ってきた前記熱媒体を受ける還り側に設けられていることを特徴とする請求項３から請求項５のいずれかに記載のエレベータ床暖房装置。
【請求項７】
内部に暖房器具が設置された建屋内に据付されたエレベータに設けられるエレベータ床暖房装置であって、
前記エレベータの昇降路内に昇降自在に配置された乗りかごと、
前記暖房器具の排熱を前記昇降路内に供給する放熱手段と、
前記放熱手段が供給する前記昇降路内の熱を回収してその熱を前記乗りかご内へと供給する熱供給手段と、を備え、
前記熱供給手段は、
前記昇降路内に設けられ、前記放熱手段が供給する前記昇降路内の熱を回収して暖気を生成する直接熱回収用熱交換器と、
前記直接熱回収用熱交換器が生成した暖気を、前記乗りかご内へと供給する暖気供給手段と、
前記乗りかごに設けられ、前記放熱手段が供給する前記昇降路内の熱を回収してその熱を熱媒体へと蓄熱する間接熱回収用熱交換器と、
前記乗りかごの床部に設けられ、蓄熱した前記熱媒体がその内部を循環する床暖房パネルと、
前記乗りかごに設けられ、前記熱媒体を前記床暖房パネルの内部に循環させる循環ポンプと、を備えたことを特徴とするエレベータ床暖房装置。
【請求項８】
前記床暖房パネルは、前記暖気供給手段が前記乗りかご内へと供給する暖気が通過する暖気通過孔が穿設されていることを特徴とする請求項７に記載のエレベータ床暖房装置。
【請求項９】
前記暖房器具の排熱を前記建屋の外へと排出する煙道を備え、
前記放熱手段は、前記煙道と前記昇降路との間に設けられ、前記昇降路内に露出した放熱パネルであることを特徴とする請求項１から請求項８のいずれかに記載のエレベータ床暖房装置。
【請求項１０】
前記乗りかごの床部に設けられ、複数の暖気分散孔が穿設された床暖気分散用パネルを備えたことを特徴とする請求項１から請求項９のいずれかに記載のエレベータ床暖房装置。
【請求項１１】
前記乗りかごの天井部に設けられ、複数の暖気分散孔が穿設された天井暖気分散用パネルを備えたことを特徴とする請求項１から請求項１０のいずれかに記載のエレベータ床暖房装置。
【発明の詳細な説明】
【技術分野】
【０００１】
この発明は、エレベータ床暖房装置に関するものである。
【背景技術】
【０００２】
従来におけるエレベータ床暖房装置においては、乗りかごの床下に送風暖房機を、乗りかごの側面下部に給気口を、乗りかごの天井に排気口をそれぞれ設け、前記送風暖房機の吐出口と前記給気口とをダクトで結んで連通させ、前記吐出口から吐出した温風を前記ダクトを通して前記給気口から乗りかご内に吹出すように構成したものや（例えば、特許文献１参照）、かご室の床面側に設けられ通気孔を有する筺体と、この筺体と前記かご室の床面側とを連通するダクトと、前記筺体内の空気を前記ダクトへ送風する送風機と、この送風機と前記通気孔との間に位置する発熱体とを備えたものが知られている（例えば、特許文献２参照）。
また、天板とこの天板の下側に取付固定した根太でもって形成した比較的浅い複数の空間部に面状のヒーターをそれぞれ取り付け、前記ヒーターの適所にはサーモスタットを組み込み、前記サーモスタットとケーブルによって連接し、かつ他のケーブルによって相互に連接した複数のコネクタを前記天板の周縁部近傍下側あるいは根太に配設するとともに、前記空間部内には前記ヒーターを覆うように断熱材を配置して、かごパネルの底部上に前記根太を介して配設するようにし、前記コネクタの内の一つに電源コードを付設したものも知られている（例えば、特許文献３参照）。
【０００３】
【特許文献１】特開昭６３−２３５２８２号公報
【特許文献２】特開平０８−１８８３６０号公報
【特許文献３】特開２００４−２６９２４８号公報
【発明の開示】
【発明が解決しようとする課題】
【０００４】
しかしながら、以上の特許文献に示されたいずれにおいても、電気ヒーターを熱源としているため、床暖房時におけるエネルギー消費量が多くなるという課題がある。
【０００５】
この発明は、前述のような課題を解決するためになされたもので、床暖房時におけるエネルギー消費量を削減することができるエレベータ床暖房装置を得るものである。
【課題を解決するための手段】
【０００６】
この発明に係るエレベータ床暖房装置においては、内部に暖房器具が設置された建屋内に据付されたエレベータに設けられるエレベータ床暖房装置であって、前記エレベータの昇降路内に昇降自在に配置された乗りかごと、前記暖房器具の排熱を前記昇降路内に供給する放熱手段と、前記放熱手段が供給する前記昇降路内の熱を回収してその熱を前記乗りかご内へと供給する熱供給手段と、を備えている。そして、前記熱供給手段は、前記昇降路内に設けられ、前記放熱手段が供給する前記昇降路内の熱を回収して暖気を生成する直接熱回収用熱交換器と、前記直接熱回収用熱交換器が生成した暖気を、前記乗りかご内へと供給する暖気供給手段と、を備えた構成とする。あるいは、前記熱供給手段は、前記乗りかごに設けられ、前記放熱手段が供給する前記昇降路内の熱を回収してその熱を熱媒体へと蓄熱する間接熱回収用熱交換器と、前記乗りかごの床部に設けられ、蓄熱した前記熱媒体がその内部を循環する床暖房パネルと、前記乗りかごに設けられ、前記熱媒体を前記床暖房パネルの内部に循環させる循環ポンプと、を備えた構成とする。
【発明の効果】
【０００７】
この発明に係るエレベータ床暖房装置は、床暖房時におけるエネルギー消費量を削減することができるという効果を奏する。
【発明を実施するための最良の形態】
【０００８】
実施の形態１．
図１から図６は、この発明の実施の形態１に関するもので、図１はエレベータ床暖房装置の全体構成を示す正面図、図２は乗りかごの平面図、図３は乗りかごの正面図、図４は床暖房パネルと間接熱回収用熱交換器の詳細を示す平面図、図５は床暖房パネルと暖気分散用パネルの詳細を示す正面図、図６は暖気分散用パネルの詳細を示す平面図である。
図において１はエレベータの設置された建屋内に鉛直に設けられた昇降路で、この昇降路１内には乗りかご２が昇降自在に配置されている。前記乗りかご２の正面にはかご扉３が開閉自在に設けられており、前記乗りかご２が階床に停止した際に、前記かご扉３と対向する位置には乗場扉４が開閉自在に設けられている。
前記乗りかご２の両側部には、前記昇降路１内に立設された一対のガイドレール（図示せず）に係合することにより、前記乗りかご２を案内するガイドローラ５がそれぞれ取付されている。前記乗りかご２の上部には主ロープ６の一端が連結されており、この主ロープ６は、滑車７に巻き掛けられた上で、その他端が図示しない釣合い重りに連結されている。
前記建屋の居住域内にはストーブ８が設置されており、このストーブ８から排出される排熱を前記建屋の外部へと排出するための煙道９が、前記建屋内の前記昇降路１及び前記居住域の間に、それぞれに隣接して鉛直に設けられている。そして、前記煙道９と前記昇降路１との間、及び、前記煙道９と前記居住域との間には、前記煙道９内の熱を前記昇降路１内又は前記居住域内へと放熱するための放熱用パネル１０がそれぞれ設けられており、前記煙道９と前記昇降路１との間に設けられた前記放熱用パネル１０は、前記昇降路１内へと露出している。なお、この放熱用パネル１０は例えば石等の素材が用いられる。
【０００９】
前記昇降路１底部の前記煙道９側の壁部には、直接熱回収用熱交換器１１ａが設置されている。この直接熱回収用熱交換器１１ａは例えば紙仕様熱交換器を使用する。
前記乗りかご２の床部には複数の暖気通過孔１２ａが穿設された床暖房パネル１２が設けられている。前記床暖房パネル１２と前記直接熱回収用熱交換器１１ａとは、前記乗りかご２の下方より前記床暖房パネル１２へと接続される伸縮自在のダクト１３により連通されており、前記直接熱回収用熱交換器１１ａより供給される暖気がこのダクト１３を通って、前記床暖房パネル１２の前記暖気通過孔１２ａを通過するようになっている。
前記床暖房パネル１２の上には床暖気分散用パネル１４が取付されており、この床暖気分散用パネル１４には多数の暖気分散孔１５が穿設されて、吹出口１６が形成されている。前記乗りかご２内の天井部分には天井暖気分散用パネル１７が取付されており、この天井暖気分散用パネル１７には多数の暖気分散孔１５が穿設されて、排出口１８が形成されている。
【００１０】
前記乗りかご２外側の一側壁下部には、間接熱回収用熱交換器１１ｂ及び循環ポンプ１９が取付されている。この間接熱回収用熱交換器１１ｂは例えばプレート型熱交換器を使用する。前記床暖房パネル１２の内部は空洞になっており熱媒体２０（ブライン）により満たされている。前記床暖房パネル１２に設けられた前記暖気通過孔１２ａの縁部に隣接する位置には、前記床暖房パネル１２内を循環する前記熱媒体２０を整流するフィン１２ｂが複数設けられている。このフィン１２ｂは、特に前記床暖房パネル１２内部を略中央で前記熱媒体２０が通過する空隙を残しつつ二分するように設けられている。また、前記循環ポンプ１９は、前記間接熱回収用熱交換器１１ｂから前記熱媒体２０を送り出す側ではなく、前記床暖房パネル１２内を循環して戻ってきた前記熱媒体２０を受ける、いわゆる還り側に設けられている。これは、後述するように前記熱媒体２０の循環は自然循環を主とするためである。
そして、前記昇降路１最頂部には、前記昇降路１内の空気を前記昇降路１上方の屋根裏２１へと排出するためのガラリ等の換気口２２が設けられており、前記屋根裏２１の上部には、内前記屋根裏２１の空気を前記建屋の外へと排出するための換気口２２が同じく設けられている。
【００１１】
前記ストーブ８からの排熱は、前記煙道９により前記建屋外へと排出される。しかし、前記煙道９内の熱は、前記放熱用パネル１０により、前記居住域側へは居住域暖房として、前記昇降路１側には昇降路内空気暖房として供給されることにより、再利用される。
そして、この前記昇降路１内の熱（輻射熱）は、前記直接熱回収用熱交換器１１ａにより回収され、暖気として例えば送風機等を用い前記ダクト１３を介して前記床暖房パネル１２へと送られる。
前記ダクト１３により送られた暖気は、前記床暖房パネル１２の前記暖気通過孔１２ａを通過し、前記床暖気分散用パネル１４の前記暖気分散孔１５により分散された上で、前記吹出口１６から前記乗りかご２内へと吹出し、前記乗りかご２内の空気を暖める。ここで、前記床暖気分散用パネル１４により、前記乗りかご２内の隅々まで暖気を行渡らせ、暖房のむらをなくすことが可能である。そして、前記乗りかご２床部の前記吹出口１６から吹出した暖気は、前記乗りかご２天井部の前記排出口１８より前記乗りかご２内から前記昇降路１内へと排出される。このようにして暖気を前記乗りかご２内を通過させることにより、新たな暖気を前記吹出口１６より前記乗りかご２へと誘引させることができる。
なお、暖気が前記昇降路１内に滞留すると、空気の質が低下してくるため、最終的に前記昇降路１内の暖気は、前記換気口２２を介して、前記昇降路１内から前記屋根裏２１を経由し前記建屋外へと排出される。
【００１２】
また、前記昇降路１内の熱（輻射熱）は、前記乗りかご２に設けられた前記間接熱回収用熱交換器１１ｂによっても回収される。ここで、前記間接熱回収用熱交換器１１ｂは、前記昇降路１内に露出した前記床暖房パネル１２になるべく近い位置となるように前記乗りかご２に設けられると、熱の回収効率の点で有利である。前記間接熱回収用熱交換器１１ｂにより回収された熱は、前記熱媒体２０へと蓄熱される。熱を蓄えた前記熱媒体２０は、前記循環ポンプ１９により、前記床暖房パネル１２内を循環して放熱し、前記乗りかご２内の床部付近の空気を暖める。加えて、前記床暖房パネル１２の前記暖気通過孔１２ａを通過する前記ダクト１３から供給される暖気をさらに暖める効果もある。
このようにして、前記間接熱回収用熱交換器１１ｂにより回収した前記昇降路１内の熱を、前記熱媒体２０に蓄熱して前記床暖房パネル１２内を循環させることにより、床暖房開始時において暖房効果の立ち上がりを早めることができる。
なお、前記循環ポンプ１９は床暖房開始時のみ使用し、前記熱媒体２０が安定して循環するようになったら前記循環ポンプ１９は停止し、以降は自然循環により前記熱媒体２０を循環させる。
【００１３】
以上のように構成されたエレベータ床暖房装置においては、ストーブの排熱を昇降路内空気暖房として供給することにより再利用し、さらに、昇降路内の熱を昇降路内に設けられた直接熱回収用熱交換器により回収し、乗りかごへと直接温風として送出することで、ストーブの排熱を有効に活用することにより、床暖房時におけるエネルギー消費量を削減することができる。
また、昇降路内の熱を乗りかごに設けられた間接熱回収用熱交換器により回収して熱媒体へ蓄熱し、熱を蓄えた熱媒体を乗りかご床部の床暖房パネル内を循環させて放熱させることで、上記同様の効果を得ることができる。
以上は、特にホームエレベータにおいて利用者が素足で乗りかごに搭乗する場合に有効である。
なお、ここでは、直接熱回収用熱交換器及び間接熱回収用熱交換器の両方を備えたエレベータ床暖房装置について説明したが、直接熱回収用熱交換器及び間接熱回収用熱交換器のうちのいずれか一方のみを備えることにより相応の床暖房効果を得ることが可能である。
【図面の簡単な説明】
【００１４】
【図１】この発明の実施の形態１におけるエレベータ床暖房装置の全体構成を示す正面図である。
【図２】この発明の実施の形態１における乗りかごの平面図である。
【図３】この発明の実施の形態１における乗りかごの正面図である。
【図４】この発明の実施の形態１における床暖房パネルと間接熱回収用熱交換器の詳細を示す平面図である。
【図５】この発明の実施の形態１における床暖房パネルと暖気分散用パネルの詳細を示す正面図である。
【図６】この発明の実施の形態１における暖気分散用パネルの詳細を示す平面図である。
【符号の説明】
【００１５】
１    昇降路
２    乗りかご
３    かご扉
４    乗場扉
５    ガイドローラ
６    主ロープ
７    滑車
８    ストーブ
９    煙道
１０    放熱用パネル
１１ａ  直接熱回収用熱交換器
１１ｂ  間接熱回収用熱交換器
１２    床暖房パネル
１２ａ  暖気通過孔
１２ｂ  フィン
１３    ダクト
１４    床暖気分散用パネル
１５    暖気分散孔
１６    吹出口
１７    天井暖気分散用パネル
１８    排出口
１９    循環ポンプ
２０    熱媒体
２１    屋根裏
２２    換気口
【図１】
0005018527.tif 000002
【図２】
0005018527.tif 000003
【図３】
0005018527.tif 000004
【図４】
0005018527.tif 000005
【図５】
0005018527.tif 000006
【図６】
0005018527.tif 000007